(57)【要約】【課題】入金紙幣をより正確に鑑別し、後鑑別作業を低減することのできる紙幣取扱装置を提供することを目的とする。【解決手段】紙幣取扱機構１に、紙幣を入出金する入出金口２０と、入金紙幣を、正券、偽券及び疑券に鑑別する紙幣鑑別部３０と、正券を収納する紙幣還流庫４０と、偽券を収納する偽券収納庫６１と、疑券を収納する疑券収納庫６２と、正券の一時収納及び繰り出しを許容する第１の一時保留庫３１と、疑券の一時収納及び繰り出しを許容する第２の一時保留庫５１及び第３の一時保留庫５２と、紙幣を、各保留部（３１，４０，５０，６０）及び入出金口２０の間を搬送する搬送路（１１〜１８，２２，２３，３３，７１〜７４，７６）と、搬送路による搬送動作を制御する紙幣取扱機構制御部１ａとを備え、各収納部、第２の一時保留庫５１、並びに第３の一時保留庫５２間の搬送路で構成する紙幣搬送経路に、紙幣鑑別部３０を配置した。【選択図】図５
2011113472.tif 000002
【特許請求の範囲】
【請求項１】
紙幣を入出金する入出金口部と、
入金紙幣を、真正な紙幣である正券、真正な紙幣でない偽券、及び疑わしい疑券に鑑別する紙幣鑑別部と、
前記正券を収納する正券収納部と、
前記偽券を収納する偽券収納部と、
前記疑券を収納する疑券収納部と、
前記正券を前記正券収納部に収納する前の一時収納及び繰り出しを許容する第１の一時保留部と、
前記疑券を前記疑券収納部に収納する前の一時収納及び繰り出しを許容する第２の一時保留部及び第３の一時保留部と、
前記紙幣を、各収納部、各一時保留部及び前記入出金口部の間を搬送する搬送路と、
前記搬送路による搬送動作を制御する搬送制御部とを備え、
前記各収納部、前記第２の一時保留部、並びに前記第３の一時保留部間の前記搬送路で構成する紙幣搬送経路に、前記紙幣鑑別部を配置した
紙幣取扱装置
【請求項２】
前記紙幣鑑別部を、
前記正券、前記偽券、及び前記疑券に加えて、還流に適さない不明券を鑑別する構成とし、
上記搬送制御部が、
前記正券を前記第１の一時保留部へ搬送し、前記疑券を前記第２の一時保留部へ搬送し、前記偽券を前記偽券収納部へ搬送し、並びに、前記不明券を前記入出金口部へ搬送する搬送制御を実行する
請求項１に記載の紙幣取扱装置。
【請求項３】
前記搬送制御部が、
前記第２の一時保留部に一旦収納した前記疑券を繰り出して前記紙幣鑑別部に搬送して再鑑別し、
再鑑別による正券を前記第１の一時保留部へ搬送し、再鑑別による偽券を前記偽券収納部へ搬送し、並びに、再鑑別による不明券及び再鑑別による疑券を前記第３の一時保留部へ搬送する再鑑別搬送制御を実行する
請求項２に記載の紙幣取扱装置。
【請求項４】
前記搬送制御部を、
前記第２の一時保留部から前記第３の一時保留部に、或いは前記第３の一時保留部から前記第２の一時保留部に、一旦収納した前記疑券を繰り出して、前記紙幣鑑別部を経由して搬送して再鑑別する再鑑別搬送制御を複数回実行する構成とするとともに、
複数回の再鑑別搬送制御による鑑別結果に基づいて統計的に、前記疑券の搬送先を、前記疑券収納部または前記偽券収納部あるいは前記第１の一時保留部に設定する
請求項２に記載の紙幣取扱装置。
【請求項５】
前記紙幣鑑別部に、
前記再鑑別搬送制御における再鑑別の際に、前記入金紙幣を鑑別する鑑別基準を変更させる鑑別基準変更手段を備えた
請求項３にあるいは請求項４に記載の紙幣取扱装置。
【発明の詳細な説明】
【技術分野】
【０００１】
この発明は、例えば金融機関などで使用される現金自動取引装置に実装されるような紙幣取扱装置に関する。
【背景技術】
【０００２】
金融機関等でユーザに対する入出金に利用される現金自動取引装置（以下、ＡＴＭという）は、紙幣の入出金を行うための紙幣取扱装置を内蔵している。  
このような紙幣取扱装置は、入金時に、入出金口から繰り出された入金紙幣の金種・真偽を鑑別して、入金した金額を計数する。この際、真正な紙幣である正券と鑑別された紙幣は一時保管庫に保管され、その他の紙幣は入出金口に返却される。この動作を「入金制御処理（入金計数処理とも言う）」と称する。
【０００３】
その後、ユーザが入金金額を確認すると、紙幣取扱装置は、一時保管庫に保管していた入金紙幣を、金種ごとに環流用の保管庫（以下、環流庫と称する）に収納する。これと併せて、ＡＴＭは、入金金額、口座情報などを、ホストコンピュータに通知する。この動作を「入金収納処理」と称する。  
上記「入金制御処理」と「入金収納処理」を総称して「入金取引処理」と称する。
【０００４】
このような入金取引を実行する紙幣取扱装置について、例えば、環流庫、偽券収納庫、疑券収納庫及び一時保管庫を備えた紙幣取扱装置が提案されている（特許文献１参照）。
【０００５】
環流庫は、環流に用いる紙幣を収納するための収納庫であり、金庫部に内蔵されている。偽券収納庫は、金庫部外に設けられ、紙幣鑑別部によって真正な紙幣と判断されなかった偽券を収納する収納庫である。
【０００６】
疑券収納庫は、鑑別結果が疑わしい紙幣を収納する収納庫である。一時保管庫は、還流庫への紙幣の収納過程において、一時的に紙幣を収納するための収納庫である。
【０００７】
この紙幣取扱装置は、入金取引時、紙幣鑑別部によって鑑別した入金紙幣を、紙幣取扱装置において一時保管庫に一旦収納する。その後、一時保管庫に収納した入金紙幣を順番に繰り出して、入金取引時に偽券と鑑別した入金紙幣は偽券収納庫へ搬送して収納し、正券と鑑別した入金紙幣は還流庫へ搬送して収納する。そして、鑑別結果が疑わしい入金紙幣を疑券収納庫に搬送して収納する。
【先行技術文献】
【特許文献】
【０００８】
【特許文献１】特開２００５−９２４２２
【発明の概要】
【発明が解決しようとする課題】
【０００９】
一般的に、紙幣取扱装置では、偽券や疑券を鑑別する際の鑑別基準における閾値は、偽券を受け付けないという安全の観点から、状態の悪い入金紙幣も偽券や疑券として扱うように設定されることが多い。
【００１０】
したがって、特許文献１で提案された紙幣取扱装置では、一旦偽券や疑券と鑑別されて各収納部に収納された入金紙幣に、正券が多く混ざって収納されるおそれがあった。
【００１１】
通常、偽券収納部や疑券収納部に収納された紙幣は、回収後、人の手や目、または専用の鑑別装置で、詳しく後鑑別する必要がある。しかし、このように偽券収納部や疑券収納庫に収納された紙幣には、正券が多く混ざっている可能性があり、上記後鑑別に要する手間が非常に多くかかっていた。
【００１２】
そのため本発明は、かかる課題を考慮して、入金紙幣をより正確に鑑別し、後鑑別作業を低減することのできる紙幣取扱装置を提供することを目的とする。
【課題を解決するための手段】
【００１３】
本発明は、紙幣を入出金する入出金口部と、入金紙幣を、真正な紙幣である正券、真正な紙幣でない偽券、及び疑わしい疑券に鑑別する紙幣鑑別部と、前記正券を収納する正券収納部と、前記偽券を収納する偽券収納部と、前記疑券を収納する疑券収納部と、前記正券を前記正券収納部に収納する前の一時収納及び繰り出しを許容する第１の一時保留部と、前記疑券を前記疑券収納庫に収納する前の一時収納及び繰り出しを許容する第２の一時保留部、及び第３の一時保留部と、前記紙幣を、各収納部、各一時保留部及び前記入出金口部の間を搬送する搬送路と、前記搬送路による搬送動作を制御する搬送制御部とを備え、前記各収納部、前記第２の一時保留部、並びに前記第３の一時保留部間の前記搬送路で構成する紙幣搬送経路に、前記紙幣鑑別部を配置した紙幣取扱装置であることを特徴とする。
【発明の効果】
【００１４】
本発明の構成により、入金紙幣をより正確に鑑別し、後鑑別作業を低減することができる。
【図面の簡単な説明】
【００１５】
【図１】現金自動取引装置の斜視図。
【図２】紙幣取扱装置の概略構成図。
【図３】保留部ＤＢのデータ構成図。
【図４】現金自動取引装置の機能ブロックを示す説明図。
【図５】紙幣取扱装置の構成を示す側面から見た説明図。
【図６】紙幣取扱装置の動作モードを示す説明図。
【図７】入金制御処理のフローチャート。
【図８】入金収納処理のフローチャート。
【図９】出金制御処理のフローチャート。
【発明を実施するための形態】
【００１６】
この発明の一実施形態を以下図面と共に説明する。  
図１は、紙幣取扱装置に対応する紙幣取扱機構１を実装した現金自動取引装置１０１の外観の斜視図を示し、図２は現金自動取引装置１０１における制御ユニット２０１のブロック図を示している。
【００１７】
図３は保留部ＤＢ２０６のデータ構造についての説明図を示し、図４は紙幣取扱機構１の制御関係のブロック図を示し、図５は本発明を適用した紙幣取扱機構１の構成を示す側面から見た説明図を示している。
【００１８】
この現金自動取引装置１０１は、カード、紙幣、明細票を媒体とし、利用者の預け入れ、支払い、振り込みなどの処理を行う装置である。  
現金自動取引装置１０１の上部には、利用者の通帳を処理し、取引明細を印字して放出する通帳処理機構１０６と、利用者のカードを処理し、取引明細票を印字して放出するカード・明細票処理機構１０７を備えている。
【００１９】
この通帳処理機構１０６はスロット１０６ａと連通し、スロット１０６ａから投入された利用者の通帳を処理し、取引明細を印字して放出する。  
カード・明細票処理機構１０７はスロット１０７ａと連通し、スロット１０７ａから投入された利用者のカードを処理し、取引明細票を印字して放出する。
【００２０】
現金自動取引装置１０１の装置前方上部には、取引の内容を表示するとともに、利用者による入力操作を許容する顧客操作部１０４を備えている。  
現金自動取引装置１０１の紙幣取扱機構１の左側には、硬貨処理装置１０５を備えている。この硬貨処理装置１０５は、現金自動取引装置１０１の装置前方上部に備えたシャッタ１０５ａに連通し、硬貨の入出金取引処理を行う装置である。なお、この硬貨処理装置１０５を備えない現金自動取引装置１０１であってもよい。
【００２１】
また、現金自動取引装置１０１は、下段右側に紙幣取扱機構１を備えている。  
紙幣取扱機構１は、現金自動取引装置１０１の装置前方上部に備えたシャッタ２０ａに連通する入出金口２０（入出金口部に対応）を有し、紙幣の入金取引および出金取引を処理する装置である。
【００２２】
上述したような構成の現金自動取引装置１０１には、全体の処理を制御する制御ユニット２０１を有している。  
制御ユニット２０１には、搬送制御部に対応する紙幣取扱機構制御部１ａ（図４）を有する紙幣取扱機構１、カード・明細票処理機構１０７、電源部２０１、顧客操作部１０４、保留部ＤＢ２０６、本体制御部２０７、バス２０７ａ、インタフェース部２０７ｂ、係員操作部２０７ｃ、及び、外部記憶装置２０７ｄが納められている。
【００２３】
制御ユニット２０１に納められた紙幣取扱機構１、カード・明細票処理機構１０７、電源部２０１、顧客操作部１０４、保留部ＤＢ２０６、インタフェース部２０７ｂ、係員操作部２０７ｃ、及び、外部記憶装置２０７ｄは、バス２０７ａを介して本体制御部２０７に接続され、本体制御部２０７の制御によって動作する構成である。  
なお、本体制御部２０７は、上記の他に、インタフェース部２０７ｂを介して図示しないホストコンピュータと接続されており、必要なデータの送受信を行うことができる。
【００２４】
顧客操作部１０４は、タッチパネルを備え、タッチパネルに操作内容を表示し、利用者による入力操作を受け付ける操作部である。例えば、預入、引出し、振込み等の取引種別の選択入力、暗証暗号、金額等の入力操作を受け付けて、その入力信号を本体制御部２０７に送信する。
【００２５】
係員操作部２０７ｃは、銀行係員等が現金自動取引装置１０１を運用、保守を行うための操作部であり、銀行係員が紙幣カセットのセットのための操作、紙幣枚数のセットのための入力部、装置状態、運用モード、障害個所等の表示のための表示部等を有している。
【００２６】
紙幣取扱機構１は、上述したように、本体制御部２０７に接続されている。詳しくは、紙幣取扱機構１の紙幣取扱機構制御部１ａがバス２０７ａを介して本体制御部２０７に接続されている。そして、紙幣取扱機構１は、本体制御部２０７から紙幣取扱機構制御部１ａに送信された制御信号に基づいて処理動作が制御されている。
【００２７】
なお、紙幣取扱機構１が本体制御部２０７によって制御される処理動作は、入金制御処理（入金計数処理とも言う）及び入金収納処理で構成する入金取引処理、及び出金取引処理等がある。  
なお、出金取引処理は、取引の種別が払出で、利用者から指定された金額、金種の紙幣を該当する金種別の紙幣環流庫から繰り出し、入出金口部に出金する処理動作である。
【００２８】
また、入金制御処理は、取引の種別が預入で、利用者が入出金口部に投入した紙幣を鑑別するとともに計数する処理動作であり、入金収納処理は、鑑別及び入金計数の結果、利用者から確認の入力がされたとき、金種別の紙幣環流庫に入金紙幣を収納する処理動作である。
【００２９】
本体制御部２０７は、顧客操作部１０４を操作した顧客から取引の種別として預入が選択入力された入力信号を受け付けた際の処理動作として、まず入金制御処理を指示し、鑑別及び入金計数の結果の確認入力操作を受け付けた際に、入金収納処理を指示する構成である。
【００３０】
制御ユニット２０１において本体制御部２０７に接続されている保留部ＤＢ２０６について、図３とともに説明する。  
なお、保留部ＤＢ２０６のデータ構造について説明する説明図を示す図３のうち、図３（ａ）はアドレス情報管理データ２０６ａについて説明する説明図であり、図３（ｂ）は鑑別結果管理データ２０６ｂについて説明する説明図である。
【００３１】
保留部ＤＢ２０６は、第１の一時保留部に対応する第１の一時保留庫３１，リジェクト庫３２，万円環流庫４１，五千円環流庫４２，千円環流庫４３，第２の一時保留部に対応する第２の一時保留庫５１，第３の一時保留部に対応する第３の一時保留庫５２，偽券収納部に対応する偽券収納庫６１及び疑券収納部に対応する疑券収納庫６２（以下において、これらを総称して保留部という）に収納する紙幣及びその紙幣の鑑別結果を管理するものである。そして、保留部ＤＢ２０６は、アドレス情報管理データ２０６ａと、鑑別結果管理データ２０６ｂの２種類で構成している。
【００３２】
アドレス情報管理データ２０６ａは、鑑別結果が格納されるメモリのアドレス情報を、各保留部に収納する紙幣ごとに対応付けて管理している。  
例えば、図３（ａ）に示すように、第１の一時保留庫３１に収納された１枚目の紙幣に対応するデータはアドレス「０００１」に管理されている。
【００３３】
なお、各保留部における１枚目とは、各保留部に最初に搬入された紙幣を意味する。各保留部は、後から収納された紙幣が先に搬出されるため、アドレス情報管理データ２０６ａはスタック型で紙幣データを管理している。つまり、各保留部に紙幣が収納される度に、アドレスの格納領域は「１枚目、２枚目・・・ｎ枚目」と増加していく。これに対して、紙幣が搬出される度に、アドレスの格納領域は「ｎ枚目・・・２枚目、１枚目」と低減する。このようにアドレスの格納領域は、各保留部にスタックポインタ、即ち各保留部に何枚の紙幣が保管されているかを示すデータによって管理している。
【００３４】
また、アドレス情報管理データ２０６ａは、鑑別結果管理データ２０６ｂのうち、空いている領域のアドレス情報も併せて管理している。空きアドレス領域には、「１枚目、２枚目・・・ｎ枚目」という概念は存在しないが、本実施例では、データベース構造の簡素化を図るため、各保留部のデータと同様、スタック型で管理している。
【００３５】
鑑別結果管理データ２０６ｂは、各紙幣の鑑別結果、及び出所情報を管理している。  
本実施例において、鑑別結果として、金種、真偽、正損、及び表裏を設定して記憶している。また、出所情報とは、紙幣を搬入した顧客を特定するための情報であり、本実施例では、入金処理時にキャッシュカード等を通じて取得された口座番号を用いている。
【００３６】
なお、管理者によって紙幣取扱機構１に収納された紙幣など口座番号等を特定できない紙幣については、出所情報無しとしてもよいし、「不明」「偽」「疑」、または収納されていた環流庫を特定する情報を、出所情報として記録してもよい。
【００３７】
鑑別結果管理データ２０６ｂは、紙幣ごとにこれらの情報を管理する。例えば、図３（ｂ）に示すように、アドレス「０００１」で代表されるメモリ領域には、「金種＝１万円、真偽＝真、正損＝正、表裏＝表、出所情報＝００００００１」という鑑別結果を記憶している。ここでは、図示の便宜上、記憶されるべき鑑別結果を文字で表現しているが、各項目のデータは、それぞれ符号化して記憶されている。
【００３８】
なお、本実施例では、鑑別結果として記憶されている「真偽」、「正損」によって鑑別紙幣を、真正な紙幣であると鑑別された正券、真正な紙幣でないと鑑別された偽券、鑑別結果が疑わしいと鑑別された疑券、及びそれ以外の不明券に鑑別している。
【００３９】
まず、「真偽」の「真」は、鑑別紙幣を紙幣鑑別部３０が真正な紙幣であると鑑別したことを示している。これに対し、「真偽」の「偽」は、鑑別紙幣を紙幣鑑別部３０が真正な紙幣でないと鑑別したことを示している。
【００４０】
次に「正損」の「正」は、鑑別紙幣を紙幣鑑別部３０が正しく鑑別したことを示している。これに対し、「正損」の「損」は、鑑別紙幣がスキューや耳折れによって紙幣鑑別部３０が正しく鑑別しなかったことを示している。  
なお、鑑別結果管理データ２０６ｂに格納された「？」は、例えば、鑑別不能であるような場合に、格納するデータがないことを示している。
【００４１】
このような鑑別結果管理データ２０６ｂに格納された鑑別結果に基づいて制御ユニット２０１は、「真偽」が「真」且つ「正損」が「正」である鑑別紙幣を、真正な紙幣である正券と鑑別するとともに、「真偽」が「偽」且つ「正損」が「正」である鑑別紙幣を、真正な紙幣でない偽券と鑑別する。  
これに対し、「真偽」を問わず、「正損」が「損」である鑑別紙幣は、疑券と鑑別している。さらには、「？」が格納された紙幣は、不明券と鑑別する。
【００４２】
なお、本実施例では、鑑別結果として「不明」または「偽」「疑」という出力を許容するものとした。例えば、真偽鑑別によって、明確に正券または偽券と鑑別できない紙幣については、「不明券」または「疑券」という結果が出力され、鑑別結果管理データ２０６ｂに登録される。
【００４３】
このようなデータ構成である入出金口２０６において、紙幣の搬送が行われた場合のデータの管理について説明する。図３中に例示するように、第１の一時保留庫３１の１枚目（アドレス情報：０００１）、２枚目（アドレス情報：０００２）および五千円環流庫４２の１枚目（アドレス情報：０００３）に紙幣が収納されている場合について説明する。
【００４４】
上述したように、各紙幣についての鑑別結果は、アドレス情報管理データ２０６ａで示されるアドレスに対応したメモリ領域に格納して管理している。  
この状態において、第１の一時保留庫３１の２枚目の紙幣（アドレス情報：０００２）は鑑別の結果、偽券と鑑別されて偽券収納庫６１に収納され、第１の一時保留庫３１の１枚目の紙幣（アドレス情報：０００１）は万円環流庫４１に収納されるとする。
【００４５】
アドレス情報管理データ２０６ａでは、これら紙幣の搬送に伴って、第１の一時保留庫３１の２枚目の領域に格納されていたアドレス情報「０００２」を、偽券収納庫６１の１枚目の領域に移行する。そして、第１の一時保留庫３１の１枚目の領域に格納されていたアドレス情報「０００１」を、万円環流庫４１の１枚目の領域に移行する。
【００４６】
次に、五千円環流庫４２に収納されていた紙幣が入出金口２０へ出金された場合について説明する。このように、各環流庫に収納されていた紙幣が出金された場合には、各保留部間の搬送とは異なり、出金後のその紙幣の鑑別結果の管理が不要となる。
【００４７】
したがって、出金された紙幣に相当するアドレス「０００３」に格納されているデータを鑑別結果管理データ２０６ｂから削除するとともに、アドレス情報管理データ２０６ａでは、空いたアドレス情報「０００３」を、空きアドレスを管理する領域に移行する。
【００４８】
このように、本実施例の保留部ＤＢ２０６では、アドレス情報を移行することにより、鑑別結果のデータ全体を移行することなく、保留部間での紙幣の搬送に伴って鑑別結果を比較的容易に管理することができる。
【００４９】
なお、保留部ＤＢ２０６は、ここで例示した構造に限定されるものではなく、各保留部の紙幣に対応付けて鑑別結果を管理可能な種々の構造を適用可能である。例えば、各保留部の紙幣に対応付けられた固定の領域を用意し、鑑別結果を示すデータ自体を移動させてもよい。本実施例では、各保留部における紙幣の配列と対応付けて鑑別結果を管理する態様を例示したが、両者の対応付けが可能であれば、いかなる方法で鑑別結果を管理してもよい。
【００５０】
次に、紙幣取扱機構１の制御構造について、紙幣取扱機構１の制御関係のブロック図を示す図４とともに説明する。  
紙幣取扱機構１に設けられた紙幣取扱機構制御部１ａは、装置の本体制御部２０７とバス２０７ａを介して接続され、本体制御部２０７からの指令および紙幣取扱機構１の状態検出に応じて紙幣取扱機構１の制御を行い、また、紙幣取扱機構１の状態を、必要に応じて本体制御部２０７に送る。
【００５１】
紙幣取扱機構１の中では、各ユニット（紙幣鑑別部３０、第１の一時保留庫３１、リジェクト庫３２、各搬送路（１１〜１８，２２，２３，３３，７１〜７４，７６）、入出金口２０、正券収納部に対応する紙幣還流庫４０、疑券一時保留庫５０、紙幣収納庫６０）の駆動モータや電磁ソレノイドやセンサと接続され、各取引に応じて、センサで状態を監視しながら、アクチュエータを駆動制御する。
【００５２】
続いて、紙幣取扱機構１の構成について、本発明を適用した紙幣取扱機構１の構成を示す側面から見た説明図である図５とともに説明する。  
紙幣取扱機構１の上部には、入出金口２０、紙幣鑑別部３０、第１の一時保留庫３１、入出金口２０等の主に利用者との紙幣の授受に必要な機構が集められている。
【００５３】
詳しくは、利用者が紙幣の投入・取り出しを行う入出金口２０は紙幣取扱機構１の上部前方（図５右側上段）に配置され、紙幣取扱機構１の後部上段（図５左側上段）に利用者が入金した紙幣を取引成立までの間一旦収納するとともに、繰り出し可能な第１の一時保留庫３１が配置されている。  
そして、入出金口２０と第１の一時保留庫３１との間に、紙幣取扱機構１の中央部に紙幣の鑑別を行う紙幣鑑別部３０が配置されている。
【００５４】
入出金口２０は、シャッタ２０ａを介して、上から投入された紙幣を下方へ繰り出す紙幣繰出部２０ｂと、下方から搬送されてきた紙幣を集積する紙幣集積部２０ｃとが、この順で前後に配置されて構成されている。
【００５５】
紙幣鑑別部３０は前方から後方へ搬送する紙幣、および後方から前方へ搬送する紙幣のどちらであっても金種鑑別、真偽鑑別、正損鑑別及び表裏鑑別を行うことができ、紙幣をリジェクトか否か鑑別できる構成である。つまり、紙幣鑑別部３０は、双方向に搬送される紙幣を鑑別できる構成である。
【００５６】
入金取引や出金取引に供しないリジェクト紙幣、もしくは顧客の抜き取り忘れた取忘紙幣を収納するリジェクト庫３２は、第１の一時保留庫３１の下段に配置されている。
【００５７】
紙幣取扱機構１の下部には、前面側（図５右側下段）から順に、紙幣還流庫４０（４１〜４３）と、疑券一時保留庫５０（５１，５２）と、紙幣収納庫６０（６１，６２）とが配置されている。
【００５８】
紙幣取扱機構１の下部後面側（図５左側下段）に配置された紙幣収納庫６０は、偽券を収納する偽券収納庫６１と、疑券を収納する疑券収納庫６２とが、高さ方向に積み重なった状態で構成されている。
【００５９】
紙幣収納庫６０の前側に配置された疑券一時保留庫５０は、疑券収納庫６２に収納する前に一旦収納するとともに、繰り出し可能な一時保管庫であり、第２の一時保留庫５１と、第３の一時保留庫５２とが、高さ方向に積み重なった状態で構成されている。
【００６０】
疑券一時保留庫５０の前側には、入金された紙幣を金種別に上下方向に積層させて収納し繰り出しする紙幣還流庫４０が前後に並べて配置されている。  
なお、本実施例において紙幣還流庫４０は、一万円札を収納して繰り出す万円環流庫４１と、五千円札を収納して繰り出す五千円環流庫４２と、千円札を収納して繰り出す千円環流庫４３とで構成されている。
【００６１】
入出金口２０等が配置された紙幣取扱機構１の上段と、紙幣還流庫４０や疑券一時保留庫５０が配置された紙幣取扱機構１の下段との間には、紙幣を搬送するための搬送路が配置されている。
【００６２】
搬送路について詳述すると、紙幣取扱機構１は、入出金口２０の下方に配置され、振分ゲート１９ａから紙幣鑑別部３０まで搬送する第１紙幣搬送路１１、紙幣鑑別部３０内部を紙幣搬送する第２紙幣搬送路１２、紙幣鑑別部３０の後側から紙幣鑑別部３０上部の振分ゲート１９ｂまで搬送する第３紙幣搬送路１３、振分ゲート１９ｂから紙幣鑑別部３０上部で折り返して第１の一時保留庫３１前側の振分ゲート１９ｃまで搬送する第４紙幣搬送路１４、振分ゲート１９ｃから疑券一時保留庫５０の上部後端の振分ゲート１９ｄまで搬送する第５紙幣搬送路１５、疑券一時保留庫５０の上部後側で振分ゲート１９ｄから振分ゲート１９ｅまでを搬送する第６紙幣搬送路１６、及び紙幣還流庫４０の上部の振分ゲート１９ｄから紙幣取扱機構１を縦断し、第１紙幣搬送路１１の前端の振分ゲート１９ａまで搬送する第７紙幣搬送路１７とを備えている。
【００６３】
なお、第５紙幣搬送路１５の下端と、第６紙幣搬送路１６の前端と、第７紙幣搬送路１７の後端とは、振分ゲート１９ｄを介して三叉路状に接続されている。
【００６４】
そして、第１紙幣搬送路１１と第７紙幣搬送路１７との境界部分には、入出金口２０から入金された入金紙幣を搬送する入金搬送路２２が振分ゲート１９ａを介して接続されている。
【００６５】
同様に、第３紙幣搬送路１３と第４紙幣搬送路１４との境界部分には、入出金口２０から出金する出金紙幣や返却する不明券を搬送する出金搬送路２３が振分ゲート１９ｂを介して接続されている。
【００６６】
さらに、第４紙幣搬送路１４と第５紙幣搬送路１５との境界部分には、紙幣還流庫４０への収納紙幣及び紙幣還流庫４０からの繰出紙幣を搬送する一時収納搬送路１８が振分ゲート１９ｃを介して接続されている。
【００６７】
また、第６紙幣搬送路１６の後端には、疑券一時保留庫５０への収納紙幣及び疑券一時保留庫５０からの繰出紙幣を搬送する第１分岐搬送路７４が振分ゲート１９ｅを介して接続されるとともに、紙幣収納庫６０へ紙幣を搬送する第２分岐搬送路７６及び入出金口２０に不明券を搬送するリジェクト搬送路３３が振分ゲート１９ｆを介して接続されている。
【００６８】
なお、第１分岐搬送路７４は、第２の一時保留庫５１への収納紙幣及び第２の一時保留庫５１からの繰出紙幣を搬送する部分と、そこから延長され、第３の一時保留庫５２への収納紙幣及び第３の一時保留庫５２からの繰出紙幣を搬送する第１分岐搬送路延長部分７５とを有している。
【００６９】
同様に、第２分岐搬送路７６は、偽券収納庫６１に紙幣を搬送する部分と、そこから延長され、疑券収納庫６２へ紙幣を搬送する第２分岐搬送路延長部分７７とを有している。
【００７０】
さらに、第７紙幣搬送路１７には、振分ゲートを介して紙幣還流庫４０に紙幣を搬送する環流搬送路が接続されている。詳しくは、万円環流庫４１に紙幣を搬送する第１環流搬送路７１が振分ゲート１９ｇを介して接続され、五千円環流庫４２に紙幣を搬送する第２環流搬送路７２が振分ゲート１９ｈを介して接続され、千円環流庫４３に紙幣を搬送する第３環流搬送路７３が振分ゲート１９ｉを介して接続されている。そして、これらの機構部はユニット化されている。
【００７１】
なお、図５において搬送路の矢印の方向は紙幣を搬送する方向を示している。  
したがって、搬送路の両端に矢印がある場合は、双方向に紙幣を搬送する双方向搬送路であることを示している。具体的には、第１紙幣搬送路１１、第２紙幣搬送路１２、第３紙幣搬送路１３、第４紙幣搬送路１４、第５紙幣搬送路１５、第６紙幣搬送路１６、第７紙幣搬送路１７、一時収納搬送路１８、第１環流搬送路７１、第２環流搬送路７２、第３環流搬送路７３、第１分岐搬送路７４及び第２分岐搬送路７６は双方向に紙幣を搬送する双方向搬送路で構成している。
【００７２】
紙幣取扱機構１は、上述の機構部と、紙幣取扱機構制御部１ａとで構成されている。  
この紙幣取扱機構１は、上述したように，各ユニットに駆動モータや電磁ソレノイドやセンサなど（図示せず）を有している。紙幣取扱機構１は、紙幣取扱機構制御部１ａにより、後述の取引に応じてセンサで状態を監視しながら、アクチュエータ（駆動モータや電磁ソレノイド等）を駆動制御している。
【００７３】
疑券一時保留庫５０は入金取引や出金取引に供しない紙幣を収納する為のリジェクト庫や還流庫として用いてもよい。  
また、紙幣収納庫６０は還流庫として用いてもよい。
【００７４】
また、紙幣還流庫４０に紙幣収納庫６０あるいは疑券一時保留庫５０を備えてもよい。  
さらにまた、疑券一時保留庫５０と紙幣収納庫６０とを入れ替えて用いてもよい。
【００７５】
このように構成された紙幣取扱機構１を実装した現金自動取引装置１０１は、入金取引処理、出金取引処理、紙幣補充処理、紙幣回収処理、取り忘れ回収取引処理といった処理を実行することができる。
【００７６】
まず、紙幣取扱機構１を実装した現金自動取引装置１０１による入金取引処理について図６，７とともに説明する。  
なお、図６は紙幣取扱機構１の動作モードの説明図を示しており、図７は入金取引処理のフローチャートを示している。
【００７７】
入金取引処理は、利用者が顧客操作部１０４を操作して、「預け入れ」や「現金での振り込み」等の入金を伴う取引を選択した時に、制御ユニット２０１が実行する処理である。
【００７８】
なお、少なくとも一部の処理を、紙幣取扱機構１の紙幣取扱機構制御部１ａで実現するものとしてもよい。  
入金取引処理が開始されると、制御ユニット２０１は、キャッシュカードから顧客の口座番号など取引に必要な情報を読み込む（ステップＳ１０）。
【００７９】
次に、入出金口２０から入金搬送路２２を介して紙幣を取り込み（ステップＳ１１）、第１紙幣搬送路１１及び第２紙幣搬送路１２で搬送した紙幣を紙幣鑑別部３０で鑑別する（ステップＳ１２）。そして、制御ユニット２０１は、その鑑別結果に基づき紙幣鑑別部３０より下流側の紙幣の搬送を制御する（ステップＳ１３）。
【００８０】
詳しくは、制御ユニット２０１は、紙幣鑑別部３０で真正な紙幣であると鑑別された正券を、第３紙幣搬送路１３、第４紙幣搬送路１４及び一時収納搬送路１８を搬送して第１の一時保留庫３１に一旦収納する制御を実行する。
【００８１】
また、制御ユニット２０１は、紙幣鑑別部３０で真正な紙幣でないと鑑別された偽券を、第３紙幣搬送路１３、第４紙幣搬送路１４、第５紙幣搬送路１５、第６紙幣搬送路１６及び第２分岐搬送路７６を搬送して偽券収納庫６１に収納する制御を実行する。
【００８２】
さらに、制御ユニット２０１は、紙幣鑑別部３０で鑑別結果が疑わしいと鑑別された疑券を、第３紙幣搬送路１３、第４紙幣搬送路１４、第５紙幣搬送路１５、第６紙幣搬送路１６及び第１分岐搬送路７４を搬送して第２の一時保留庫５１に一旦収納する制御を実行する。
【００８３】
さらにまた、制御ユニット２０１は、紙幣鑑別部３０で紙幣であることが鑑別できないような不明券を、第３紙幣搬送路１３及び出金搬送路２３を搬送して入出金口２０に搬送して、利用者に返却する制御を実行する。  
なお、制御ユニット２０１は、上記処理と併せて、計数結果を顧客操作部１０４に表示する（ステップＳ１４）。
【００８４】
そして、ステップＳ１３で第２の一時保留庫５１に疑券を収納し、利用者からの入金指示の入力がない場合（ステップＳ１７：ＮＯ）、制御ユニット２０１は、第２の一時保留庫５１から一旦収納した疑券を繰り出し、第６紙幣搬送路１６、第７紙幣搬送路１７、第１紙幣搬送路１１、及び第２紙幣搬送路１２を搬送して紙幣鑑別部３０で再鑑別する（搬送制御に対応するステップＳ１５）。
【００８５】
制御ユニット２０１は、図６に示すように、ステップＳ１３で一旦疑券と鑑別されて第２の一時保留庫５１に収納された紙幣を紙幣鑑別部３０の再鑑別結果に基づいて搬送制御する（再鑑別搬送制御に対応するステップＳ１６）。
【００８６】
詳しくは、制御ユニット２０１は、ステップＳ１３で一旦疑券と鑑別されて第２の一時保留庫５１に収納された紙幣が紙幣鑑別部３０の再鑑別によって真正な紙幣であると鑑別された正券は、第３紙幣搬送路１３、第４紙幣搬送路１４及び一時収納搬送路１８を搬送して第１の一時保留庫３１に一旦収納する。
【００８７】
同様に、制御ユニット２０１は、紙幣鑑別部３０の再鑑別によっても、鑑別結果が疑わしいと鑑別された疑券や不明券は、第３紙幣搬送路１３、第４紙幣搬送路１４、第５紙幣搬送路１５、第６紙幣搬送路１６、第１分岐搬送路７４及び第１分岐搬送路延長部分７５を搬送して第３の一時保留庫５２に一旦収納する。
【００８８】
また、制御ユニット２０１は、紙幣鑑別部３０の再鑑別によって真正な紙幣でないと鑑別された偽券を、第３紙幣搬送路１３、第４紙幣搬送路１４、第５紙幣搬送路１５、第６紙幣搬送路１６及び第２分岐搬送路７６を搬送して偽券収納庫６１に収納する。なお、この処理過程における鑑別結果は、保留部ＤＢ２０６に格納するとともに、制御ユニット２０１は最新の計数結果を顧客操作部１０４に表示する（ステップＳ１４）。
【００８９】
そして、顧客操作部１０４に表示された金額を確認した利用者によって入金指示が入力されると（ステップＳ１７：ＹＥＳ）、制御ユニット２０１は後述する入金収納処理を行う（ステップＳ２０）。  
なお、この入金取引処理のうちステップＳ１０〜Ｓ１７までを入金制御処理としている。
【００９０】
そして、上記入金収納処理後に、制御ユニット２０１は、入金制御処理（ステップＳ１０〜Ｓ１７）において不明券、偽券、疑券が発見された場合（ステップＳ４０：ＹＥＳ）、所定の通知先、例えば、金融機関の責任者などに対して、ネットワークその他の通信回線を通じて、通知を行う（ステップＳ４１）。
【００９１】
逆に、入金制御処理（ステップＳ１０〜Ｓ１７）において、不明券、偽券、疑券が発見されていない場合（ステップＳ４０：ＮＯ）、制御ユニット２０１は、キャッシュカードを返却して（ステップＳ４２）、入金取引処理を完了する。
【００９２】
次に、上述のステップＳ２０における入金収納処理について、図８とともに説明する。  
なお、図８は入金収納処理のフローチャート示している。
【００９３】
制御ユニット２０１は、一時保管庫（３１，５０）に収納した紙幣を繰り出す（ステップＳ２１）。  
詳しくは、制御ユニット２０１は、疑券一時保留庫５０から疑券や不明券を繰り出し（ステップＳ２１）、ゲート１９を制御するとともに、第６紙幣搬送路１６、第５紙幣搬送路１５、第４紙幣搬送路１４、第３紙幣搬送路１３、及び第２紙幣搬送路１２を搬送して紙幣鑑別部３０に搬送し、紙幣鑑別部３０で鑑別する（ステップＳ２２）。
【００９４】
また、同様に、制御ユニット２０１は、第１の一時保留庫３１から正券を繰り出し（ステップＳ２１）、ゲート１９を制御するとともに、一時収納搬送路１８、第４紙幣搬送路１４、第３紙幣搬送路１３、及び第２紙幣搬送路１２を搬送して紙幣鑑別部３０に搬送し、紙幣鑑別部３０で鑑別する（ステップＳ２２）。
【００９５】
そして、制御ユニット２０１は、紙幣鑑別部３０での鑑別の結果が正券であれば（ステップＳ２３：正券）、第１紙幣搬送路１１及び第７紙幣搬送路１７を搬送して金種に応じた紙幣還流庫４０に正券を収納する（ステップＳ２６）。
【００９６】
逆に、制御ユニット２０１は、紙幣鑑別部３０での鑑別の結果が偽券であれば（ステップＳ２３：偽券）、第１紙幣搬送路１１、第７紙幣搬送路１７、第６紙幣搬送路１６及び第２分岐搬送路７６を搬送して、偽券収納庫６１に偽券を収納する（ステップＳ２７）。
【００９７】
同様に、制御ユニット２０１は、紙幣鑑別部３０での鑑別の結果が疑券であれば（ステップＳ２３：疑券）、第１紙幣搬送路１１、第７紙幣搬送路１７、第６紙幣搬送路１６、第２分岐搬送路７６及び第２分岐搬送路延長部分７７を搬送して疑券収納庫６２に疑券を収納する（ステップＳ２７）。
【００９８】
制御ユニット２０１は、第１の一時保留庫３１や疑券一時保留庫５０に一旦収納されている紙幣の繰り出しが完了するまで（ステップＳ２８）、以上の処理を繰り返し実行し、繰り出しが完了すると、制御ユニット２０１は入金収納処理を完了する。
【００９９】
なお、この入金収納処理において、取忘紙幣が発見された場合には、制御ユニット２０１は、ゲート１９を制御するとともに、その取忘紙幣をリジェクト庫３２に収納する。  
また、紙幣取扱機構１に不明券収納庫を備え、該不明券収納庫に不明券を分別してもよい。
【０１００】
次に、紙幣取扱機構１を実装した現金自動取引装置１０１による出金取引処理における出金制御処理ついて、図９とともに説明する。  
なお、図９は出金制御処理のフローチャートを示している。
【０１０１】
出金制御処理は、利用者が顧客操作部１０４を操作して、「引き出し」等の出金を伴う取引を選択した時に、制御ユニット２０１が実行する処理である。  
この処理では、制御ユニット２０１は、利用者によって指定操作された金額および枚数に応じた紙幣を紙幣還流庫４０から繰り出し（ステップＳ５１）、第７紙幣搬送路１７、第１紙幣搬送路１１及び第２紙幣搬送路１２を通って紙幣鑑別部３０に搬送する。
【０１０２】
制御ユニット２０１は、搬送された紙幣を紙幣鑑別部３０で鑑別し（ステップＳ５２）、その鑑別の結果が不明券であれば（ステップＳ５３：不明券）、第３紙幣搬送路１３、第４紙幣搬送路１４及び一時収納搬送路１８を通って第１の一時保留庫３１に搬送する（ステップＳ５４）。
【０１０３】
これに対し、制御ユニット２０１は、紙幣鑑別部３０での鑑別の結果が正券であれば（ステップＳ５３：正券）、第３紙幣搬送路１３及び出金搬送路２３を通って入出金口２０に搬送する（ステップＳ５５）。
【０１０４】
制御ユニット２０１は、ステップＳ５１〜Ｓ５５までの処理を、指定された全紙幣の繰り出しが完了するまで繰り返し実行する（ステップＳ５６：ＮＯ）。  
繰り出しが完了して（ステップＳ５６：ＹＥＳ）、第１の一時保留庫３１に不明券が存在する場合には（ステップＳ５７：ＹＥＳ）、制御ユニット２０１は、不明券をリジェクト庫３２まで搬送し、収納して（ステップＳ５８）、本出金制御処理を終了する。なお、繰り出し完了時点において、第１の一時保留庫３１に不明券が存在しない場合（ステップＳ５７：ＮＯ）も同様とする。
【０１０５】
また、ステップＳ５７における判断は、保留部ＤＢ２０６を参照して行ってもよく、さらには、保留部ＤＢ２０６に代えて、不明券、偽券、疑券の有無を示すフラグを用いてもよい。
【０１０６】
このように、紙幣を入出金する入出金口２０と、入金紙幣を、真正な紙幣である正券、真正な紙幣でない偽券、及び疑わしい疑券に鑑別する紙幣鑑別部３０と、前記正券を収納する紙幣還流庫４０と、前記偽券を収納する偽券収納庫６１と、前記疑券を収納する疑券収納庫６２と、前記正券を前記紙幣還流庫４０に収納する前の一時収納及び繰り出しを許容する第１の一時保留庫３１と、前記疑券を、前記疑券収納庫６２に収納する前の一時収納及び繰り出しを許容する第２の一時保留庫５１及び第３の一時保留庫５２と、前記紙幣を、各保留部（３１，４０，５０，６０）及び前記入出金口２０の間を搬送する搬送路（１１〜１８，２２，２３，３３，７１〜７４，７６）と、前記搬送路による搬送動作を制御する紙幣取扱機構制御部１ａとを備え、前記各収納部、前記第２の一時保留庫５１、並びに前記第３の一時保留庫５２間の前記搬送路で構成する紙幣搬送経路に、前記紙幣鑑別部３０を配置した紙幣取扱機構１は、入金紙幣をより正確に鑑別することができ、後鑑別作業を低減することができる。
【０１０７】
詳しくは、前記紙幣鑑別部３０を、前記正券、前記偽券、及び前記疑券に加えて、還流に適さない不明券を鑑別する構成とし、上記紙幣取扱機構制御部１ａが、ステップＳ１３において、前記正券を前記第１の一時保留庫３１へ搬送し、前記疑券を前記第２の一時保留庫５１へ搬送し、前記偽券を前記偽券収納庫６１へ搬送し、並びに、前記不明券を前記入出金口２０へ搬送する搬送制御を実行するため、入金取引処理で入金された入金紙幣を、入金制御処理において紙幣鑑別部３０で鑑別し、不明券は入出金口２０に搬送して利用者に返却し、偽券を偽券収納庫６１に収納するとともに、正券を第１の一時保留庫３１に一旦収納し、疑券を第２の一時保留庫５１に一旦収納する。そして、第２の一時保留庫５１から疑券を繰り出し（ステップＳ１５）、紙幣鑑別部３０で再鑑別するため（ステップＳ１６）、入金紙幣を精度よく鑑別することができる。
【０１０８】
さらにまた、前記紙幣取扱機構制御部１ａが、ステップＳ１５において、前記第２の一時保留庫５１に一旦収納した前記疑券を繰り出して前記紙幣鑑別部３０に搬送して再鑑別し、ステップＳ１６において、再鑑別による正券を前記第１の一時保留庫３１へ搬送し、再鑑別による偽券を前記偽券収納庫６１へ搬送し、並びに、再鑑別による不明券及び再鑑別による疑券を前記第３の一時保留庫５２へ搬送する再鑑別搬送制御を実行するため、鑑別結果によっては正券や偽券が混ざる疑券を複数回鑑別することで、最終的に疑券収納庫６２に収納する疑券の枚数を低減することができる。したがって、疑券収納庫６２に収納された紙幣を、人の手や目、または専用の鑑別装置で、詳しく後鑑別する手間を低減することができる。また、疑券に混ざっている正券を低減することができる。
【０１０９】
さらには、疑券を一旦収納する疑券一時保留庫５０を、第２の一時保留庫５１と第３の一時保留庫５２とで構成したため、第２の一時保留庫５１に収納された疑券を再鑑別して再度疑券と鑑別された疑券を第３の一時保留庫５２に収納し、第３の一時保留庫５２に収納された疑券を再鑑別して再度疑券と鑑別された疑券を第２の一時保留庫５１に収納するといったように、第２の一時保留庫５１と第３の一時保留庫５２とを往復させて複数回再鑑別するため、紙幣の鑑別をより高精度化することができる。
【０１１０】
また、紙幣取扱機構１における入金取引処理において、制御ユニット２０１が、入金制御処理（ステップＳ１０〜Ｓ１７）において、不明券、偽券、疑券が発見された場合（ステップＳ４０：ＹＥＳ）、所定の通知先、例えば、金融機関の責任者などに対して、ネットワークその他の通信回線を通じて、ステップＳ４１で通知を行うため、不明券、偽券、疑券を投入した利用者を迅速に特定することができる。
【０１１１】
また、入金収納処理（ステップｓ２０）において、第１の一時保留庫３１や疑券一時保留庫５０に一旦収納している入金紙幣を、紙幣鑑別部３０を経由してから紙幣還流庫４０や紙幣収納庫６０に収納するため、入金紙幣をさらに精度よく鑑別してから紙幣還流庫４０や紙幣収納庫６０に収納することができる。
【０１１２】
例えば、入金制御処理で「正」と鑑別されたものの、その後の搬送や一時収納によって耳折れや破れが生じ、還流に適さない状態となった紙幣であっても、紙幣還流庫４０や紙幣収納庫６０への収納前に再度紙幣鑑別部３０を経由させて鑑別するため、精度よく収納することができる。
【０１１３】
逆に、入金制御処理でスキューによって「偽」と鑑別されたものの、その後の搬送や一時収納によってスキューが解消された紙幣を、紙幣還流庫４０や紙幣収納庫６０への収納前に再度紙幣鑑別部３０を経由させて鑑別することによって正券として紙幣還流庫４０に収納することができる。
【０１１４】
さらにまた、紙幣還流庫４０や疑券収納庫６２に収納する前の「正券」や「疑券」を一時収納する一時保留庫として、第１の一時保留庫３１、第２の一時保留庫５１及び第３の一時保留庫５２の３つの一時保留庫を備えたことにより、不明券を入出金口２０に返却することができる。詳述すると、例えば、一時保留庫の数が、紙幣還流庫や疑券収納庫に収納する前に一時収納する紙幣の鑑別種類に比べて少ない場合、入出金口２０を紙幣還流庫や疑券収納庫に収納する前の紙幣を一時収納する一時保留庫として用いることが考えられるが、そうすると、不明券の独立した搬送先がなく疑券等に混ぜる等して取り扱う必要がある。これに対し、本実施例では、紙幣鑑別部３０が鑑別する「正券」、「偽券」、「疑券」及び、「不明券」のうち、直接偽券収納庫６１に収納する「偽券」以外で、一時収納する「正券」及び「疑券」用の一時保留庫（６１，５１，５２）をそれぞれ独立して備えたため、不明券を入出金口２０に出金することができる。これにより、各紙幣を鑑別結果に応じて確実に収納することができる。
【０１１５】
また、上記の入金取引処理においては、入金収納処理（ステップｓ２０）が完了してから、キャッシュカードを返却しているため（ステップｓ４２）、利用者を現金自動取引装置１０１の所に留めることができ、入金収納処理で不明券、偽券、疑券が発見された場合の迅速な対応を可能とすることができる。
【０１１６】
さらにまた、紙幣取扱機構１の出金制御処理において制御ユニット２０１は、紙幣還流庫４０に収納した正券を繰り出し（ステップＳ５１）、紙幣鑑別部３０で鑑別してから入出金口２０に搬送するため、例えば、スキューなどによって不明券と鑑別された紙幣を入出金口２０に搬送して利用者に渡すことがない。
【０１１７】
上述の入金制御処理では、ステップＳ１１〜Ｓ１５の処理を複数回繰り返し行い、鑑別結果により疑券以外に鑑別された紙幣は偽券収納庫６１や第１の一時保留庫３１に収納し、疑券鑑別された紙幣のみ他方の疑券一時保留庫５０に収納する構成であったが、そのつど紙幣鑑別部３０で鑑別しながら第２の一時保留庫５１と第３の一時保留庫５２とを往復させ、その鑑別結果を保留部ＤＢ２０６に格納し、保留部ＤＢ２０６に格納された鑑別結果を集計して、統計的に、紙幣の収納先を決定する構成であってもよい。なお、鑑別結果を集計して、統計的に、紙幣の収納先を決定するとは、もっとも多い鑑別結果を採用して、紙幣の収納先に決定するといったことを意味している。これにより、例えば、複数回の鑑別における最終鑑別結果に基づいて鑑別する場合と比較して、鑑別結果を蓄積して統計的に鑑別することにより高精度の鑑別を実現することができる。
【０１１８】
また、入金制御処理における疑券一時保留庫５０に収納した疑券の複数回の鑑別や、入金制御処理及び入金収納処理における第１の一時保留庫３１に収納した正券の複数回の鑑別を、それぞれ、鑑別基準変更手段に対応する制御ユニット２０１によって鑑別基準を変更させて鑑別してもよい。
【０１１９】
例えば、一回目の疑券を鑑別する場合の鑑別基準より、二回目の疑券を鑑別する場合の鑑別基準を厳しく設定してもよい。これにより、一回目の鑑別による大量枚の入金紙幣を大まかに鑑別し、厳しい鑑別基準での二回目の鑑別により、大まかな鑑別によって枚数が減った疑券を厳格に鑑別することができる。
【０１２０】
逆に、一回目の入金制御処理の鑑別基準を厳しくし、二回目の入金収納処理における鑑別基準を緩く設定してもよい。これにより、厳しい鑑別基準での一回目の鑑別によって厳格に鑑別された正券を、入金収納処理の際の二回目の鑑別で最終のチェック的な鑑別を実行することができる。  
このように、複数回実行する鑑別の鑑別基準を変更することで、所望の精度の鑑別を効率よく実施することができる。
【０１２１】
また、上述の入金制御処理におけるキャッシュカードを返却するタイミングは、上述の実施例に限定されず、種々の設定が可能である。例えば、入金紙幣の鑑別時（ステップＳ１２）に、不明券、偽券、疑券が発見されなかった場合には、入金指示（ステップＳ１７）がなされた時点で、入金収納処理（ステップＳ２０）と並行して、キャッシュカードを返却してもよい。入金紙幣の鑑別時（ステップＳ１２）に不明券、偽券、疑券が発見された場合には、図７に示したタイミングでキャッシュカードの返却を行えばよい。このような処理を適用すれば、不明券、偽券、疑券が発見されなかった場合には、取引を早期に完了することができる。
【０１２２】
上述の入金制御処理では、また、紙幣取り込み、鑑別し（ステップＳ１２）その結果に基づき紙幣の搬送を制御するとき、偽券、疑券と鑑別された紙幣はそれぞれ偽券収納庫、疑券収納庫に直接搬送して、利用者が表示された金額を確認して、入金指示を行うと（ステップＳ１７）、制御ユニット２０１は入金収納処理を行う（ステップＳ２０）ことで取引を早期に完了することができる。
【符号の説明】
【０１２３】
１…紙幣取扱機構，１ａ…紙幣取扱機構制御部，１１〜１７…紙幣搬送路，１８…一時収納搬送路，２０…入出金口，２２…入金搬送路，２３…出金搬送路，３０…紙幣鑑別部，３１…第１の一時保留庫，３３…リジェクト搬送路，４０…紙幣還流庫，５１…第２の一時保留庫，５２…第３の一時保留庫，６１…偽券収納庫，６２…疑券収納庫，７１〜７３…環流搬送路，７４…第１分岐搬送路，７６…第２分岐搬送路
【図１】
2011113472.tif 000003
【図２】
2011113472.tif 000004
【図３】
2011113472.tif 000005
【図４】
2011113472.tif 000006
【図５】
2011113472.tif 000007
【図６】
2011113472.tif 000008
【図７】
2011113472.tif 000009
【図８】
2011113472.tif 000010
【図９】
2011113472.tif 000011